(57)【要約】【課題】  本発明は魚釣用電動リールに係り、釣人の思いのままに仕掛けの移動（釣糸の巻取り）を止めて魚に餌を食わせる間を取ることができ、また、魚の当たりを確実に捉えることのできる魚釣用電動リールを提供することを目的とする。【解決手段】  リール本体に回転可能に支持されたスプールを巻取り駆動するスプールモータと、スプールモータの連続駆動を実行する連続駆動スイッチ部材と、スプールモータの断続駆動を実行する断続駆動スイッチ部材とを備え、前記スプールモータの駆動中に前記断続駆動スイッチ部材を押圧操作すると、断続駆動スイッチ部材を押圧操作している間スプールモータは停止し、断続駆動スイッチ部材の押圧操作を解除すると、前記連続駆動スイッチ部材で設定された出力値でスプールモータが駆動することを特徴とする。【選択図】    図１
2011050270.tif 000002
【特許請求の範囲】
【請求項１】
リール本体に回転可能に支持されたスプールを巻取り駆動するスプールモータと、
スプールモータの連続駆動を実行する連続駆動スイッチ部材と、
スプールモータの断続駆動を実行する断続駆動スイッチ部材とを備え、
前記スプールモータの駆動中に前記断続駆動スイッチ部材を押圧操作すると、断続駆動スイッチ部材を押圧操作している間スプールモータは停止し、
断続駆動スイッチ部材の押圧操作を解除すると、前記連続駆動スイッチ部材で設定された出力値でスプールモータが駆動することを特徴とする魚釣用電動リール。
【請求項２】
前記断続駆動スイッチ部材は、押圧操作時にスプールモータが駆動する押圧ＯＮの寸動機能と、
押圧操作時にのみスプールモータが停止する押圧ＯＦＦの寸停止機能とに切換え可能であることを特徴とする請求項１に記載の魚釣用電動リール。
【請求項３】
前記スプールモータの駆動状態を監視する監視手段と、
監視手段からの検出結果を入力する制御手段とを備え、
制御手段は、前記断続駆動スイッチ部材の押圧操作時にスプールモータが停止状態にあるとき、断続駆動スイッチ部材を押圧ＯＮの寸動機能に、
前記断続駆動スイッチ部材の押圧操作時にスプールモータが駆動状態にあるとき、断続駆動スイッチ部材を押圧ＯＦＦの寸停止機能に自動的に切り換えることを特徴とする請求項１に記載の魚釣用電動リール。
【発明の詳細な説明】
【技術分野】
【０００１】
本発明は、リール本体に回転自在に取り付くスプールを巻取り駆動するスプールモータを備えた魚釣用電動リールに関する。
【背景技術】
【０００２】
船釣りなど、一般に深場の魚層を対象とした魚釣りを行う場合、魚釣用電動リール（以下、「電動リール」という）が広く使用されている。
【０００３】
従来周知のようにこの電動リールは、スプールモータの駆動でスプールを回転させて釣糸の巻取りを行うもので、釣場の状況（対象魚の大きさや種類、魚とのファイトやヒット数）に応じたモータ出力の調節が容易に行えるように、リール本体に設けたモータ出力調節体の操作でモータ出力を増減調節したり、リール本体上部の操作パネル上に設けたモータスイッチのＯＮ操作でスプールを寸動させてモータ駆動によるシャクリ操作ができるようにしたものが特許文献１で開示されている。
【０００４】
この先行技術は、モータスイッチによるモータ出力値を外部操作で変更、設定可能とし、モータ出力調節体によるスプールモータの駆動時にモータスイッチを押してＯＮ操作すると、このＯＮ操作の間、変更、設定されたモータ出力値でスプールモータが駆動し、モータスイッチから手を離すＯＦＦ操作で、スプールモータは停止することなくモータスイッチのＯＮ操作時にモータ出力調節体で調節設定されていたモータ出力で駆動し続ける構造となっている。
【０００５】
つまり、モータスイッチとモータ出力調節体を併用し、両方を使い分けることでスプールモータによる巻取り速度に変化を与えて、幅広いシャクリパターン操作を可能としたものである。
【先行技術文献】
【特許文献】
【０００６】
【特許文献１】特開２００５−２２９９０１号公報
【発明の概要】
【発明が解決しようとする課題】
【０００７】
而して、前記先行技術によれば、実際のシャクリ操作を行うに当たり、モータスイッチとモータ出力調節体の併用操作によって釣糸（仕掛け）の巻取り速度に変化を与えることで、魚の注意を惹き付けて食わせるための誘導操作が連続的にできるが、巻取り状態が継続する中での速度変化のため、巻取り中での魚の当たりを明確に捉えることができない虞があった。
【０００８】
また、波の上下動で速度変化が更に助長されてしまい、魚信感知が更に難しくなる虞もある。
【０００９】
本発明は斯かる実情に鑑み案出されたもので、釣人の思いのままに仕掛けの移動（釣糸の巻取り）を止めて魚に餌を食わせる間を取ることができ、また、魚の当たりを確実に捉えることのできる電動リールを提供することを目的とする。
【課題を解決するための手段】
【００１０】
斯かる目的を達成するため、請求項１に係る電動リールは、リール本体に回転可能に支持されたスプールを巻取り駆動するスプールモータと、スプールモータの連続駆動を実行する連続駆動スイッチ部材と、スプールモータの断続駆動を実行する断続駆動スイッチ部材とを備え、前記スプールモータの駆動中に前記断続駆動スイッチ部材を押圧操作すると、断続駆動スイッチ部材を押圧操作している間スプールモータは停止し、断続駆動スイッチ部材の押圧操作を解除すると、前記連続駆動スイッチ部材で設定された出力値でスプールモータが駆動することを特徴とする。
【００１１】
そして、請求項２に係る発明は、請求項１に記載の電動リールに於て、前記断続駆動スイッチ部材は、押圧操作時にスプールモータが駆動する押圧ＯＮの寸動機能と、押圧操作時にのみスプールモータが停止する押圧ＯＦＦの寸停止機能とに切換え可能であることを特徴とする。
【００１２】
また、請求項３に係る発明は、請求項１に記載の電動リールに於て、前記スプールモータの駆動状態を監視する監視手段と、監視手段からの検出結果を入力する制御手段とを備え、制御手段は、前記断続駆動スイッチ部材の押圧操作時にスプールモータが停止状態にあるとき、断続駆動スイッチ部材を押圧ＯＮの寸動機能に、前記断続駆動スイッチ部材の押圧操作時にスプールモータが駆動状態にあるとき、断続駆動スイッチ部材を押圧ＯＦＦの寸停止機能に自動的に切り換えることを特徴とする。
【発明の効果】
【００１３】
請求項１に係る発明によれば、釣竿をもっての自動巻取り操作中に、釣人の思いのままに、連続的な誘導操作の中で仕掛けの移動を止めて魚に食わせる間をとることができ、魚の当たりを確実に捉えることができることとなった。
【００１４】
そして、請求項２に係る発明によれば、釣人による人為的な操作で断続駆動スイッチ部材の押圧ＯＮ／押圧ＯＦＦの寸動機能選択ができるので、釣場の状況、釣人の好みに応じた幅広いモータ駆動操作ができる利点を有する。
【００１５】
また、請求項３に係る発明によれば、釣場の状況に対応した魚釣用電動リールの使用状態（待機中の仕掛け巻取り調整、連続巻取り中の誘導操作など）に対応して断続駆動スイッチ部材による寸動、寸停止の機能を自動的に切換え可能としたので、幅広いモータ駆動操作が可能となる利点を有する。
【図面の簡単な説明】
【００１６】
【図１】請求項１及び請求項３の一実施形態に係る電動リールの平面図である。
【図２】表示器の拡大平面図である。
【図３】モードの切換え状態を示すフローチャートである。
【発明を実施するための形態】
【００１７】
以下、本発明の実施形態を図面に基づいて詳細に説明する。
【００１８】
図１は請求項１及び請求項３の一実施形態に係る電動リールを示し、図に於て、１はフレーム、３、５はフレーム１の左右に取り付く側板で、フレーム１と両側板３、５によって電動リール７のリール本体９が構成されている。そして、リール本体９の側板３、５間に、周知の軸受を介してスプール軸が支持され、スプール軸にスプール１１が軸受を介して回転可能に取り付けられている。
【００１９】
スプール１１は、スプールモータ１３の駆動やハンドル１５の巻取り操作で回転して釣糸が巻回され、スプールモータ１３はスプール１１前方のフレーム１に一体成形された筒状のモータケース内に収容されている。
【００２０】
そして、反ハンドル側のスプールモータ１３のモータ軸とスプール軸との間に、遊星歯車とこれに噛合する太陽歯車や内歯歯車などからなる遊星減速機構１７と、駆動ベルト１９を用いた動力伝達機構２１が順次装着されており、これらの遊星減速機構１７と動力伝達機構２１を介してスプールモータ１３の駆動力がスプール軸に伝達されるようになっている。
【００２１】
スプール軸はスプール１１の中央を貫通してその他端側が側板５側に突出し、その突出端に、スプール軸の回転力をスプール１１に伝達させる動力伝達機構２３や、スプール１１を釣糸巻取り状態（クラッチＯＮ）とスプールフリー状態（クラッチＯＦＦ）とに切り換えるクラッチ機構２５が装着されている。
【００２２】
そして、スプール１１後方のリール本体９には、クラッチレバー２７が下方へ押圧操作可能に取り付けられており、クラッチレバー２７の押圧操作で、これに連結されたクラッチ機構２５がクラッチＯＮからクラッチＯＦＦに切り換わるようになっている。
【００２３】
また、このクラッチＯＦＦ状態でハンドル１５を巻取り方向へ回転させると、図示しない周知の復帰機構を介してクラッチ機構２５がクラッチＯＮ状態に復帰するようになっており、このクラッチ機構２５のクラッチＯＮ／ＯＦＦの切換えでスプール１１が釣糸巻取り状態と釣糸繰出し状態とに切り換わって、スプール１１へのスプールモータ１３やハンドル１５の動力が伝達／遮断されるようになっている。
【００２４】
而して、スプールモータ１３は、ハンドル１５側の側板５の上部前方に装着したレバー形状の連続駆動スイッチ部材（モータ出力調節体：以下、「パワーレバー」という）２９の操作で駆動すると共に、後述する押しボタン式の断続駆動スイッチ部材（以下、「モータスイッチ」という）３１の押圧操作で寸動駆動ないしは寸停止するように構成されており、パワーレバー２９はハンドル１５の巻取り方向と同方向へ出力が増加するように回転操作可能に取り付けられている。
【００２５】
そして、リール本体９の上部には、制御手段（マイクロコンピュータ）とその他の電装部品からなる制御回路が収容された制御ボックス３３が側板３、５間に設けられており、パワーレバー２９の前後方向の回転操作で、制御手段がパワーレバー２９の操作量に応じたパルス信号のデューティ比としてスプールモータ１３への電力通電時間率を可変制御して、モータ出力をモータ停止状態から高出力値まで連続的に増減調節するようになっている。
【００２６】
また、図１中、３５はスプール１１の回転方向と回転数を検出する回転検出手段で、回転検出手段３５は、反ハンドル側のフレーム１に装着された一対のホール素子やリードスイッチからなる磁気センサ３７と、これに対向してスプール１１の一端側周縁部に固着された複数のマグネット３９とで構成されており、磁気センサ３７は制御手段に接続されている。
【００２７】
一方、制御手段の記憶部には、特開平５−１０３５６７号公報で開示された電動リールと同様、糸長計測基礎データが入力された糸長計測プログラムが組み込まれており、制御手段は、磁気センサ３７から出力されるスプール１１の正転／逆転の判定信号を取り込んで釣糸の繰出しか巻取りかを判定すると共に、磁気センサ３７から取り込むスプール１１の回転パルス信号をカウントし、この計数値を基に前記糸長計測プログラムによって糸長（釣糸の繰出し量）を計測するようになっている。
【００２８】
そして、制御手段は、計測された糸長を表示駆動回路を介して制御ボックス３３上部の操作パネル４１上に設けた液晶表示器（以下、「表示器」という）４３に表示させるようになっており、釣人は斯かる表示を確認し乍ら所定の水深に仕掛けを繰り出したり、ハンドル１５やパワーレバー２９などの操作で釣糸を巻き取ることができるようになっている。
【００２９】
また、操作パネル４１上には、表示器４３に隣接して上下方向に押しボタン式のリセットスイッチ４５と棚メモスイッチ４７がハンドル１５側に配設されると共に、両スイッチ４５、４７にオフセットさせてモータスイッチ３１が表示器４３の斜め後方のハンドル１５側に設けられており、これらは制御手段に接続されている。
【００３０】
棚メモスイッチ４７は棚位置の設定に使用するもので、既述したように釣糸の繰出しや巻取りに伴い、制御手段が磁気センサ３７から取り込むスプール１１の回転パルス信号から糸長を求めて表示器４３に表示させるが、図２に示すように表示器４３には、水面からの仕掛けの繰出し量（水深）を表示する上カラ表示部４９と、棚からの仕掛けの距離を表示する棚カラ表示部５１が上下２段に並設されている。そして、釣糸が竿先から水面まで繰り出された処で釣人がリセットスイッチ４５を押圧操作すると、制御手段は、上カラ表示部４９の表示値を「０．０」にリセットさせるようになっている。
【００３１】
この後、釣人が釣糸を繰り出していくと、制御手段で求められた糸長が上カラ表示部４９に表示され、そして、釣糸が例えば９５．５ｍ繰り出された処で釣人が棚メモスイッチ４７を押圧操作すると、棚カラ表示部５１に「０．０」が表示されて棚位置が設定され、以後、図２に示すように棚位置から例えば１５ｍの釣糸の巻取りに伴う仕掛けの距離と水面からの繰出し量が、棚カラ表示部５１と上カラ表示部４９に表示されるようになっている。
【００３２】
次に、前記モータスイッチ３１の機能を説明すると、図１に示すように反ハンドル側の側板３の底部前方に突出部５３が形成され、突出部５３の底部に給電コードを接続する給電接続部が装着されている。そして、バッテリに接続した給電コードをコネクタを介して給電接続部に接続すると、スプールモータ１３や制御手段に給電が開始されるが、制御手段（監視手段）は、スプールモータ１３への給電開始と同時に、一例としてスプールモータ１３への電流値やパワーレバー２９の操作量などを基にスプールモータ１３の駆動状態を常時監視する。
【００３３】
そして、制御手段は、待機中などスプールモータ１３が停止状態にあるとき（連続運転直後にスプールモータ１３が一旦停止したときも含む）、モータスイッチ３１を押圧ＯＮの寸動機能（押している時だけモータＯＮ、離すとモータＯＦＦとなる）に切り換え、また、スプールモータが駆動状態にあるとき、モータスイッチ３１を押圧ＯＦＦの寸停止機能（押している時だけモータＯＦＦ、離すとモータＯＮとなる）に自動的に切り換えるようになっている。
【００３４】
尚、押圧ＯＮの寸動機能時に於けるモータスイッチ３１のモータ出力レベル値は、予め工場出荷段階で所定値に設定、記憶されているが、例えば特許文献１に開示された電動リールの如く、パワーレバー２９などの外部操作でモータスイッチ３１のモータ出力レベル値を変更、設定可能としてもよい。
【００３５】
従って、スプールモータ１３が停止状態にあるときに釣人がモータスイッチ３１を押圧操作（モータスイッチ３１を手で押すＯＮ操作）すると、モータスイッチ３１は従来の寸動スイッチと同様、押圧操作している間スプールモータ１３は駆動し、モータスイッチ３１から手を離して押圧操作を解除（モータスイッチ３１から手を離すＯＦＦ操作）すると、スプールモータ１３は停止する。
【００３６】
また、パワーレバー２９を操作して釣糸を巻き取っているときに、即ち、スプールモータ１３が連続駆動状態にあるときに釣人がモータスイッチ３１を押圧操作すると、モータスイッチ３１を押圧操作している間、スプールモータ１３は停止し、モータスイッチ３１から手を離すと、スプールモータ１３は、モータスイッチ３１のＯＮ操作時にパワーレバー２９で調節設定されていたモータ出力で再駆動することとなる。
【００３７】
尚、本実施形態は、このようにモータスイッチ３１から手を離したとき、モータスイッチ３１のＯＮ操作時にパワーレバー２９で調節設定されていたモータ出力でスプールモータ１３が再駆動するように構成したが、モータスイッチ３１のＯＦＦ操作時にパワーレバー２９で調節設定されているモータ出力でスプールモータ１３が再駆動するようにしてもよい。
【００３８】
また、本実施形態は、連続駆動スイッチ部材としてパワーレバー２９を用いたが、斯かる回転変速レバー式のパワーレバー２９に限定されるものではなく、例えば従来周知の押しボタン式の変速ボタンやスライド式の変速レバーを連続駆動スイッチ部材として用いることができる。
【００３９】
本実施形態に係る電動リール７はこのように構成されているから、実釣に当たり、バッテリに接続した給電コードを給電接続部に接続すると、スプールモータ１３や制御手段に給電が開始される。そして、クラッチレバー２７のクラッチＯＦＦ操作で釣糸がスプール１１から繰り出され、パワーレバー２９によるスプールモータ１３の駆動やハンドル１５の巻取り操作でスプール１１に釣糸が巻回され、また、釣糸の繰出しや巻取りに伴い、回転検出手段３５の検出値を基に糸長が計測されて表示器４３に糸長が表示されるが、制御手段は、スプールモータ１３への給電開始と同時に、スプールモータ１３への電流値やパワーレバー２９の操作量などを基にスプールモータ１３の駆動状態を監視する。
【００４０】
そして、制御手段はスプールモータ１３が停止状態にあるとき、モータスイッチ３１を押圧ＯＮの寸動機能に切り換え、一方、スプールモータ１３が連続駆動状態にあるとき、モータスイッチ３１を押圧ＯＦＦの寸停止機能に自動的に切り換えることとなる。
【００４１】
従って、スプールモータ１３が停止しているときに釣人がモータスイッチ３１を押圧操作すると、モータスイッチ３１を押圧操作している間スプールモータ１３は駆動し、モータスイッチ３１から手を離すとスプールモータ１３は停止する。
【００４２】
一方、スプールモータ１３の駆動中に釣人がモータスイッチ３１を押圧操作すると、モータスイッチ３１を押圧操作している間スプールモータ１３は停止し、モータスイッチ３１から手を離すと、スプールモータ１３は、モータスイッチ３１のＯＮ操作時にパワーレバー２９で調節設定されていたモータ出力で再駆動する。
【００４３】
このように本実施形態は、釣場の状況に対応した電動リール７の使用状態（待機中の仕掛け巻取り調整、連続巻取り中の誘導操作など）に対応してモータスイッチ３１による寸動、寸停止の機能を自動的に切換え可能としたので、幅広いモータ駆動操作が可能となると共に、釣竿をもっての自動巻取り操作中に、釣人の思いのままに、連続的な誘導操作の中で仕掛けの移動を止めて魚に食わせる間をとることができ、魚の当たりを確実に捉えることができることとなった。
【００４４】
尚、既述したように前記実施形態は、制御手段がスプールモータ１３の駆動状態を監視し、制御手段は、待機中などスプールモータ１３が停止状態にあるときにモータスイッチ３１を押圧ＯＮの寸動機能に、そして、スプールモータが連続駆動状態にあるときにモータスイッチ３１を押圧ＯＦＦの寸停止機能に自動的に切り換えるように構成したが、請求項１及び請求項２の一実施形態の如く、釣人による機能選択操作によって、モータスイッチ３１を、押圧操作時にスプールモータ１３が駆動する押圧ＯＮの寸動機能（押している時だけモータＯＮ、離すとモータＯＦＦとなる）と、押圧操作時にのみスプールモータ１３が停止する押圧ＯＦＦの寸停止機能（押している時だけモータＯＦＦ、離すとモータＯＮとなる）とに切り換えることができるように構成してもよい。
【００４５】
即ち、図示しないが、先ず、前記操作パネル４１上に押しボタン式のモード切換えスイッチを設け、このモード切換えスイッチの切換え操作によって、制御手段が図３の如く「押圧ＯＮモード」と「押圧ＯＦＦモード」とに交互に切り換わるように構成する。
【００４６】
また、例えば棚メモスイッチ４７の長押しでモード切換えを行った後、再押圧操作で両モードに切換可能としてもよい。
【００４７】
そして、釣人が「押圧ＯＮモード」を選択した場合には、前記実施形態と同様、スプールモータ１３が停止しているときに釣人がモータスイッチ３１を押圧操作すると、モータスイッチ３１を押圧操作している間スプールモータ１３は駆動し、モータスイッチ３１から手を離すとスプールモータ１３は停止するように構成する。
【００４８】
また、釣人が「押圧ＯＦＦモード」を選択した場合には、前記実施形態と同様、スプールモータ１３の駆動中に釣人がモータスイッチ３１を押圧操作すると、モータスイッチ３１を押圧操作している間だけスプールモータ１３が停止し、モータスイッチ３１から手を離すと、スプールモータ１３は、モータスイッチ３１のＯＮ操作時にパワーレバー２９で調節設定されていたモータ出力で再駆動するように構成する。
【００４９】
而して、このように構成した請求項１及び請求項２の実施形態によっても、釣竿をもっての自動巻取り操作中に、釣人の思いのままに仕掛けの移動を止めて魚に食わせる間をとることができ、魚の当たりを確実に捉えることができると共に、釣人による人為的な操作でモータスイッチ３１の押圧ＯＮ／押圧ＯＦＦの寸動機能選択ができるので、釣場の状況、釣人の好みに応じた幅広いモータ駆動操作ができる利点を有する。
【符号の説明】
【００５０】
１ フレーム
３、５  側板
７  電動リール
９  リール本体
１１  スプール
１３  スプールモータ
１５  ハンドル
１７  遊星減速機構
２１、２３  動力伝達機構
２５  クラッチ機構
２７  クラッチレバー
２９  パワーレバー（連続駆動スイッチ部材）
３１  モータスイッチ（断続駆動スイッチ部材）
３３  制御ボックス
３５  回転検出手段
４１  操作パネル
４３  表示器
４５  リセットスイッチ
４７  棚メモスイッチ
４９  上カラ表示部
５１  棚カラ表示部
【図１】
2011050270.tif 000003
【図２】
2011050270.tif 000004
【図３】
2011050270.tif 000005